(57)【要約】【課題】  電源ソケットに装着したときに外部点滅回路が不要でやわらない明滅光あるいは揺らぎ明滅光を発生することが可能でで視認性の高い点滅電球を提供することを目的とする。【解決手段】  この発明は、サイズの小さいワンチップマイクロコントローラＩＣの複数出力端子からそれぞれに点滅パターンの相違するＯＮ／ＯＦＦの複数の駆動信号を得ることで、複数の発光素子、例えばＬＥＤ素子を異なる点滅パターンでそれぞれに明滅させる。その明滅は、単なる点滅ではなく、複数のＬＥＤ素子が同時発光期間の手前に１つのＬＥＤ素子が発光期間を設けた繰り返しとする。【選択図】      図１
2009037771.tif 000002
【特許請求の範囲】
【請求項１】
駆動信号の発生期間がプログラム可能で複数の前記駆動信号についての出力端子を有するワンチップマイクロコントローラＩＣと、複数の発光素子と、ソケットに装着する電球のソケット接続金具と、前記複数の発光素子を被う透光性のカバーとを備え、
前記ワンチップマイクロコントローラＩＣを前記ソケット接続部に挿入してあるいはこの上部に配置してこのソケット接続部から電力供給を受け、前記複数の発光素子を前記ワンチップマイクロコントローラＩＣの先に配置して前記ワンチップマイクロコントローラＩＣの前記複数の出力端子をそれぞれ前記複数の発光素子に接続して複数の前記発光素子の少なくとも１つが点灯して続いて他の少なくとも１つが点灯する階段状の発光期間を消灯期間を挟んで複数個所定の周期内に設けて前記複数の発光素子を所定の周期で駆動する点滅電球。
【請求項２】
前記ソケット接続金具は小型電球のものであり、前記複数個の階段状の発光期間は、前の期間より次の期間が長くなる期間あるいは逆に前の期間より次の期間が短くなる期間を含み、前記発光素子の１つが点灯して続いて他の１つ点が灯するものであり、前記所定の周期で繰り返され、前記複数の発光素子は、少なくともいずれか１個は他と発光色が異なる請求項１記載の点滅電球。
【請求項３】
前記発光素子は、３個か、それ以上のＬＥＤ素子であって、その発光位置が相違し、前記階段状の発光期間において発光する複数の前記発光素子のうちの前記発光素子の１つと続いて発光する他の少なくとも１つは３個のうちの２個が選択されて、前記ソケット接続金具の形状がねじ込み形状のものであって、その形状がろうそく灯あるいは装飾灯のソケット接続金具に対応している請求項２記載の点滅電球。
【請求項４】
前記発光素子は、３個か、それ以上のＬＥＤ素子であって、前記ソケット接続金具の形状が懐中電灯で使用されるハロゲンランプのソケット接続金具に対応している請求項２記載の点滅電球。
【請求項５】
前記透光性部材のカバーは、スモークがかかったあるいはクリスタルカットのものである請求項１記載の点滅電球。
【請求項６】
前記ソケット接続金具を設けることなく、前記ワンチップマイクロコントローラＩＣの電力供給を受ける端子がリード線を介して外部に導出されている請求項１記載の点滅電球。
【発明の詳細な説明】
【技術分野】
【０００１】
この発明は、装飾灯、ろうそく灯、緊急用の表示ランプ、警報灯、警告灯、動作表示灯などの点滅電球に関し、詳しくは、電源ソケットに装着したときに外部点滅回路が不要でやわらない明滅光あるいは揺らぎ明滅光を発生することが可能で視認性の高い点滅電球に関する。
【背景技術】
【０００２】
従来の懐中電球サイズあるいはろうそく灯サイズの小型点滅電球としてはクリスマスツリーなどで使用される装飾点滅球がある。また、クリスマスツリーなどではバイメタルでスイッチングする球を介して接続することで点滅させる仕組みの点滅電球も知られている。
これとは別に、ＬＥＤ素子と点滅回路とを一体化した点滅ＬＥＤ素子も知られている。
発光光を揺らぎ点滅する球として考えられるものは、現在のところオレンジ色に光るグロー放電管を使用した通電パイロットランプなどがある。
一方、警告灯，安全ライトについて考えてみると、自転車灯として搭載されるＬＥＤ素子等の点滅ライトが知られている。これらは、内部にＬＥＤ素子とは別に点滅回路が設けられていてＬＥＤ素子に点滅回路から電力供給がなされる。その点滅回路は、特定の周期の発振回路で構成され、ＬＥＤ素子の電源ラインあるいは接地ラインをＯＮ／ＯＦＦさせて点滅させるものである。
また、複数の点滅ＬＥＤ素子を配列して所定の周期の異なる点滅期間をそれぞれに与える装飾用の照明装置も公知である（特許文献１）。
【特許文献１】特開２００６−２３６８７５公報
【発明の開示】
【発明が解決しようとする課題】
【０００３】
ＬＥＤ素子の点滅の大きな欠点は、滅灯する期間を長くして急激に発光させると目に刺激の強い光になることである。そのため、その点滅灯を受ける人の側は気分が悪い。しかも、滅灯する期間を短くすると点滅が分かり難くなる。従来の点滅ＬＥＤ素子あるいは点滅回路を伴う点滅球は、発振回路による定期的なＯＮ／ＯＦＦ点滅であって、やわらない明滅光あるいは情緒性のある揺らぎ光は発生しない。
この点、グロー放電管を使用した通電パイロットランプでみるように揺らぎ発光は、見やすいが視認性が低い欠点がある。また、この種のものは、離れたところで人の注意を喚起するような表示はできない。
複数の点滅球を異なる周期でＯＮ／ＯＦＦする特許文献１の照明装置は、一点からの揺らぎ光を発生させるものではないので、光が分散してし、一点での視認性に乏しく、例えば、ろうそく光のような情緒性のある揺らぎの光を得ることはできない。
この発明は、このような従来技術の問題点を解決するものであり、電源ソケットに装着したときに外部点滅回路が不要でやわらない明滅光あるいは揺らぎ明滅光を発生することが可能で視認性の高い点滅電球を提供することを目的とする。
【課題を解決するための手段】
【０００４】
このような目的を達成するためのこの発明の点滅電球は、駆動信号の発生期間がプログラム可能で複数の駆動信号についての出力端子を有するワンチップマイクロコントローラＩＣと複数の発光素子とを有し、ワンチップマイクロコントローラＩＣをソケットに装着するソケット接続金具に挿入してあるいはこれの上部に配置してこのソケット接続金具から電力供給を受け、複数の発光素子をワンチップマイクロコントローラＩＣの先に配置して透光性のカバーで被いこれをソケット接続金具に結合し、ワンチップマイクロコントローラＩＣの複数の出力端子をそれぞれ複数の発光素子に接続して複数の発光素子の少なくとも１つが点灯して続いて他の少なくとも１つが点灯する階段状の発光期間を消灯期間を挟んで複数個所定の周期内に設けて複数の発光素子を所定の周期で駆動するものである。
【発明の効果】
【０００５】
刺激性の高いＬＥＤ素子等の発光素子の点滅の欠点を解消し、１個の点滅球でフェードイン−フェードアウトするやわらない明滅光あるいは揺らぎ光を発生するためにこの発明者は、複数の前記発光素子の１つが点灯して続いて他の少なくとも１つ点が灯する点灯の発光期間を消灯期間を挟んで複数個個所定の周期内に設けることで、小さい発光から大きい発光へ移し、消灯して次にまた小さい発光から大きい発光へ移すことで、やわらない明滅光とすることができると考えた。また、複数の発光素子の発光位置を相違させれば、それで揺らぎ発光が可能になると考えた。
しかし、駆動回路を従来のような発振回路とカウンタ、スイッチ回路などの組み合わせて実現するとなると、形態が大きくなり、このような回路をソケット接続金具に配置することは難しいことが判った。そこで、考えついたのが、８ｍｍ×８ｍｍ以下のサイズの小さいワンチップマイクロコントローラＩＣである。
この発明にあっては、このサイズの小さいワンチップマイクロコントローラＩＣの複数出力端子からそれぞれに点滅パターンの相違するＯＮ／ＯＦＦの複数の駆動信号を得て、複数の発光素子、例えばＬＥＤ素子を異なる点滅パターンでそれぞれに明滅させる。その明滅は、単なる点滅ではなく、複数のＬＥＤ素子の１つのＬＥＤ素子が発光する発光期間に続いて同時発光期間を設けて繰り返しとする。
このようにワンチップマイクロコントローラＩＣを使用することで、期間の長い点滅駆動信号と期間の短い点滅駆動信号を組み合わせかつＯＮ／ＯＦＦパターンを相違させた信号をプログラム処理で複数個生成して、個別に発生させることができる。しかも、そのサイズをソケット接続金具に入るか、これに近いサイズのものとすることで、ソケット接続金具に挿入してあるいはこれの上部に配置して、ワンチップマイクロコントローラＩＣが影とならないようにして電力供給をして点滅電球内部で点滅信号を生成する。
したがって、外部点滅回路が不要な小型電球を実現できる。発光素子としてＬＥＤ素子等の発光素子を使用すれば熱の発生も少なく、消費電力の低減を図ることができる。
その結果、１個の点滅球としてやわらない明滅光あるいは揺らぎ明滅光を得ることができ、ろうそく灯などの情緒性のある明滅光を発生させることができる。また、例えば、警報灯で利用するときには目に刺さるような光になることなく、視認性の高い、人の気分を害さない光となる。
【発明を実施するための最良の形態】
【０００６】
図１は、この発明の点滅球の一実施例の構成図、図２は、その回路構成の説明図、図３は、その出力駆動パルスのタイミング説明図、図４は、揺らぎ光をろうそく光として使用した提灯についての断面説明図、図５は、懐中電灯用のハロゲン球対応の警告灯に適用したやわらない明滅光の点灯球の実施例の説明図、そして図６は、図５の実施例の出力駆動パルスのタイミング説明図である。
図１において、１は、揺らぎ発光点滅球であって、２，３は、赤色発光のＬＥＤ素子、４は黄色発光のＬＥＤ素子、５は、駆動信号の発生期間がプログラム可能で複数の出力端子を有するワンチップマイクロコントローラＩＣ、６はソケット接続金具、７は透光性フレキシブル配線基板、そして８は、ラグビーボール形状の楕円球のスモークがかかったあるいはクリスタルカットの透光性の樹脂カバーである。
なお、ソケット接続金具６の径は、ろうそく灯では、１２ｍｍφ程度である。
ＬＥＤ素子２は、透光性の樹脂カバー８の内部下側（ボトム）に配置され、ＬＥＤ素子３は、透光性の樹脂カバー８の中間位置（ミドル）に配置され、ＬＥＤ素子４は、透光性の樹脂カバー８の最上部（トップ）に配置されている。これらＬＥＤ素子２〜４は、透光性フレキシブル配線基板７の配線によりワンチップマイクロコントローラＩＣ５の出力端子にそれぞれ接続されている。
なお、透光性の樹脂カバー８にはソケット接続金具６の上部に放熱のために孔８ａが４個所開けられ、ソケット接続金具６の内側でこれと結合している。
このようにソケット接続金具６近傍にワンチップマイクロコントローラＩＣ５を配置すれば、ワンチップマイクロコントローラＩＣ５が発光光により影を作ったりすることなく、発光の邪魔になるようなことはない。
【０００７】
図２は、その回路構成の説明図であって、ワンチップマイクロコントローラＩＣ５は、８端子のＤＩＰ型のマイクロプロセッサであって、その大きさは、８ｍｍ×８ｍｍか、それ以下のもの、例えば、５ｍｍ×５ｍｍ角程度のものが好ましい。端子（１）はパワーオンリセット端子、端子（２），（３）は外部クロック発生回路入力、端子（４）は接地端子、端子（５）〜端子（７）はそれぞれ駆動出力端子、端子（８）は電源端子である。
１１は、電源電圧３．３Ｖの電池であり、スイッチ１２を介してこれの正極側からソケット接続金具６の底に突起した正極接続部６ａを経て端子（８）と、抵抗Ｒ７を介して端子（１）に電力が供給される。端子（１）への配線ライン７ａと各抵抗Ｒ１〜Ｒ３とを介して各ＬＥＤ素子２〜４の電源側端子に接続されている。各
電池１１の負極側は、ソケット接続金具６の外側にある負極接続管６ｂを経て接地端子（４）に接続されている。
その内部構成は、ＣＰＵ５１と、プログラムが搭載されるＥＥＰＲＯＭ等の不揮発性メモリ５２、ＲＡＭ５３、端子（５）〜端子（７）が接続された出力ポート５４、内部クロック発生回路５５、そしてパワーオンリセット回路５６などから構成されている。
この種のワンチップマイクロコントローラＩＣ５として、８ｍｍ×８ｍｍか、これ以下のものは、ＡＴＭＥＬジャパン（株）発売されているＡＴＴＩＮＹ１２Ｖ−４ＰＣ−ＮＤ／ＡＴＴＩＮＹ１２Ｌ−４ＳＣ−ＮＤなどのマイクロコントローラを使用することが可能である。
【０００８】
図１に示すように、揺らぎ発光点滅球１は、これらＬＥＤ素子２〜４は、フレキシブル配線基板７においてワンチップマイクロコントローラＩＣ５の上部に配置され、一番下側の位置（ボトム）にＬＥＤ素子２が、真中の位置（ミドル）にＬＥＤ素子３が、そして基板先端側の位置（トップ）に黄色発光のＬＥＤ素子４がそれぞれ搭載されている。
ワンチップマイクロコントローラＩＣ５は、フレキシブル配線基板７がソケット接続金具６の内部にその一部が挿入されて、これの上部に配置される。２個の赤色発光のＬＥＤ素子２，３と黄色発光のＬＥＤ素子４には、それぞれ１０ｍＡ程度の駆動電流が流れる。各抵抗Ｒ１〜Ｒ３の抵抗値の選択あるいは調整によりこの電流値を調整して各ＬＥＤ素子の発光輝度を調整することができる。
図２に示すように、基板ソケット接続金具６の上部近傍に配置されたワンチップマイクロコントローラＩＣ５は、ソケット接続金具６の底に突起した正極接続部６ａにそのの端子（１）が接続され、ソケット接続金具６の外側にある負極接続管６ｂにその端子（４）が接続され、電池１１からスイッチ１２を介して電力が供給される。
ワンチップマイクロコントローラＩＣ５の複数の出力端子のうち端子（５），（６）は、２個の赤色発光のＬＥＤ素子２，３にそれぞれフレキシブル配線基板７の配線ライン７ｂ，７ｃを介してそれぞれ接続され、他の端子（７）が１個の黄色発光のＬＥＤ素子４にフレキシブル配線基板７の他の配線ライン７ｄを介して接続されている。
端子（５），（６），（７）には、図３に示すように、それぞれ独立に３Ｖの電圧のＯＮ／ＯＦＦ駆動信号が発生し、それぞれの周期とＯＮ期間、そしてＯＦＦ期間はプログラムによりそれぞれ設定される。
【０００９】
このように、この実施例は、揺らぎ発光するために複数のＬＥＤ素子の高さを変えてある。ボトムのＬＥＤ素子２とミドルのＬＥＤ素子３との２個の素子で基本的なやわらかな明滅動作をさせて、これにさらにトップの位置のＬＥＤ素子４の点滅を加えることにより揺らぎ明滅をさせる。
すなわち、１周期の間にＬＥＤ素子２が点灯してＬＥＤ素子２とＬＥＤ素子３の両者を点灯させる階段状の発光をさせて、その期間を次第に長くしていく。これにより点灯する時点でやわらな発光となる。そして、１周期の最初と最後にＬＥＤ素子３とＬＥＤ素子４の点灯を加えて発光位置を変化させる。一定周期で点滅が繰り返されるので、ＬＥＤ素子２が点灯してＬＥＤ素子２とＬＥＤ素子３の両者を点灯させる期間が逆に次第に短くしていけば消滅する方向に緩やかになり、これによってもやわらかな明滅動作となる。
【００１０】
その一例が図３に示すタイミングチャートである。
ＬＥＤ素子２〜４の全体の繰り返し周期を１２０ｍsecとして、“Ｈ”（ハイレベル）の信号で各ＬＥＤ素子２〜４がＯＦＦし、“Ｌ”（ロウレベル）で各ＬＥＤ素子２〜４がＯＮするとし、“Ｈ”、“Ｌ”の波形の内側に示す数値が“Ｈ”、“Ｌ”の時間幅ｍsecである。
トップのＬＥＤ素子４は、ＯＮ／ＯＦＦパターンをＯＮ期間１０ｍsec、ＯＦＦ期間１１０ｍsecとする。ミドルのＬＥＤ素子３は、ＯＮ期間１０ｍsec、ＯＦＦ期間５ｍsecのＯＮ／ＯＦＦパターンと、ＯＮ期間５ｍsec、ＯＦＦ期間１５ｍsecのＯＮ／ＯＦＦパターンと、ＯＮ期間２５ｍsec、ＯＦＦ期間１５ｍsecのＯＮ／ＯＦＦパターンと、ＯＮ期間４４ｍsecで次の周期のＯＮ期間１０ｍsecに連続する長いＯＮ期間とからなる。そしてボトムのＬＥＤ素子２は、ＯＦＦ期間１０ｍsec、ＯＮ期間１０ｍsecのＯＮ／ＯＦＦパターンと、ＯＦＦ期間１０ｍsec、ＯＮ期間３０ｍsecのＯＮ／ＯＦＦパターンと、ＯＮ期間４５ｍsec、ＯＦＦ期間５ｍsecのＯＮ／ＯＦＦパターンとからなり、最後のＯＦＦ期間５ｍsecで次の周期のＯＦ期間１０ｍsecに連続するＯＦＦ期間とからなる。
その結果、スイッチ回路１２がＯＮされると、前記のタイミングで赤色発光のＬＥＤ素子３と黄色発光のＬＥＤ素子４とが周期開始の最初に１０ｍsecだけ点灯し、次にＬＥＤ素子２が５ｍsec点灯してＬＥＤ素子２，３の両者が５ｍsec点灯する階段状の点灯をする。そして、ＬＥＤ素子２，３の両者が１０ｍsec消灯してから、また、ＬＥＤ素子２が５ｍsec点灯してＬＥＤ素子２，３の両者が最初より長い期間の２５ｍsec点灯する階段状の点灯となる。ＬＥＤ素子２，３の両者が１０ｍsec消灯してから、ＬＥＤ素子２が５ｍsec点灯してＬＥＤ素子２，３の両者が前より長い期間の４０ｍsec点灯する階段状の点灯となる。。
最後にＬＥＤ素子３が１個だけ５ｍsec点灯する。この最後の１個の点灯は、次の周期に移行するバッファ期間であって、これが最初の１個の点灯になり、次の周期開始のＬＥＤ素子３とＬＥＤ素子４の２個の点灯に連続するように１個、続いて２個のＬＥＤ素子の階段状の点灯となり、次の周期に引き継ぐ。そこため、ＬＥＤ素子３とＬＥＤ素子４の２個の点灯の点灯期間を１０ｍsecとして２個点灯の４０ｍsec点灯と次の２個点灯の５ｍsecの間の長さに設定してある。
メモリ５２には、駆動出力端子である端子（５）〜端子（７）に１２０ｍsecで“Ｈ”、“Ｌ”と変化する“Ｈ”レベルが３Ｖの駆動信号が前記のように周期的に発生するプログラムが書き込まれている。
【００１１】
図３に示すＯＮ／ＯＦＦ関係を縦方向でみて、点灯期間“Ｌ”の幅に注目すると、黄色発光のトップのＬＥＤ素子４と赤色発光のミドルのＬＥＤ素子３が点灯している１０ｍsecの短いトップ側の点灯期間があって、これらが滅灯（消灯）してボトムの赤色発光のミドルのＬＥＤ素子２へと点灯が移動して５ｍsecの短い期間がある。
続いてミドルのＬＥＤ素子３がボトムのＬＥＤ素子２とともに点灯している５ｍsecの期間があって、点灯がミドルへと移動して両者が１０ｍsecの期間滅灯（消灯）する。そして、点灯をボトムへと移して、ボトムのＬＥＤ素子２の５ｍsecの期間の点灯があって続いてしてミドルのＬＥＤ素子３がボトムのＬＥＤ素子２とともに２５ｍsecの期間点灯して、また、点灯をミドル側へと移す。
その後、ミドルのＬＥＤ素子３とボトムのＬＥＤ素子２とともに１０ｍsecの期間滅灯（消灯）して、ボトムから点灯してボトムのＬＥＤ素子２の５ｍsecの期間の点灯があって続いてしてミドルのＬＥＤ素子３が点灯して点灯をボトムからミドルへと移してボトムのＬＥＤ素子２とともに４０ｍsecの期間点灯させる。そして、ボトムのＬＥＤ素子２を先に５ｍsecの期間滅灯（消灯）し、黄色発光のトップのＬＥＤ素子４と赤色発光のミドルのＬＥＤ素子３が点灯している１０ｍsecの短い期間に戻し、点灯をトップ側に移動する。
【００１２】
ボトムとミドルのＬＥＤ素子２，３が滅灯（消灯）する期間“Ｈ”は比較的短く、これらは消灯期間部（“Ｈ”）が一部重なって点灯期間“Ｌ”がずれて強弱光を発生して発光している。これに加えて、黄色発光のＬＥＤ素子４の滅灯（消灯）する期間“Ｈ”は長く、ミドルの赤色発光のＬＥＤ素子３と発光黄色発光のＬＥＤ素子４の発光期間が重なるように発光させている。そして、３個のＬＥＤ素子４がＯＦＦする滅灯期間が２個所設けられている。
すなわち、黄色発光のＬＥＤ素子４が発光している期間とＬＥＤ素子３が発光している期間が重なる期間は強い光を発生する期間となり、同様に、赤色発光のＬＥＤ素子２，３が発光している期間とが重なる期間も強い光が発生し、これらが色違いで別のタイミングに設定され、上下に光が移動する。しかも、赤色発光のＬＥＤ素子３だけが単独で発光している期間は弱い光となる。
【００１３】
これにより発光光が上下に色違いで移動してかつ強弱発光となるので、発光光は揺らぎ状態になる。しかし、このような上下移動の発光について揺らぎ発光点滅球１を直接みてもＬＥＤ素子２〜４の距離が小さいので揺らぎは判らない。しかし、この揺らぎ発光点滅球１の光を周囲に投影したときにはＬＥＤ素子２〜４の距離の差が大きく現れ、周囲の光は揺らぎ光となって現れる。
そこで、スモークがかかったあるいはクリスタルカットの透光性の樹脂カバー８の状態では、発光光は揺らぎ状態があまりはっきりしたものではないが、この揺らぎ発光点滅球１を提灯に取付けたときには内部で乱反射と提灯側壁への投影により揺らぎが大きく現れてくる。
図４は、これを揺らぎ光をろうそく灯として使用した提灯についての断面説明図であって、１０は、提灯であり、提灯竿１０ａにスイッチ回路１２が設けられている。スイッチ１２は、２本線の配線ライン１３により電池１１の電源ラインとソケット１４の端子との間取付けられている。
ソケット１４は、電池１１のケース１１ａの表面上に接着して設けられ、揺らぎ発光点滅球１がこのソケット１４に装着されて、スイッチ１２によりＯＮ／ＯＦＦされる。
【００１４】
図５は、懐中電灯用のハロゲン球対応の警告灯に適用したやわらない明滅光の点灯球の実施例の断面説明図である。
９は、懐中電灯用のハロゲン球対応の点滅球であって、点滅球９の場合には、ソケット接続金具がねじとなっておらず、つば付きの円筒装着部６ａとなっている。
この円筒装着部６ａは、その外径が８ｍｍφ〜９ｍｍφ程度あって、５ｍ×５ｍ角のワンチップマイクロコントローラＩＣ５が内部に十分に入る大きさとなっている。そこで、これを搭載したフレキシブル配線基板７を円筒装着金具６ａの内側に挿入して、フレキシブル配線基板７の先頭部には三原色発光のＬＥＤ素子２ａの４本の端子を接続して搭載する。この場合のフレキシブル配線基板７は、透光性の基板である必要はない。
８ａは、球状の透光性の樹脂カバーである。放熱用の孔は開けていない。それぞれの赤、青、緑の発光色の端子をワンチップマイクロコントローラＩＣ５の出力端子に接続する。
しかも、赤、青、緑の発光色の階段状の発光期間と消灯期間とがそれぞれ異なるようにプログラム設定されている。
【００１５】
例えば、図６のタイミングチャートに示すように、繰り返し周期は、図３の５倍の６００ｍsecであり、“Ｈ”、“Ｌ”の波形の内側に示す数値が“Ｈ”、“Ｌ”の時間幅ｍsecである。
トップの位置が青、ミドルの位置が緑、ボトムの位置が赤の各発光ＬＥＤに割当てられ、緑が単独で発光期間ＴＧと、赤、青、緑が同時に点灯する期間が１周期の真中に１３０ｍsecの期間が設けられていて、この期間は発光色が白になる。これより後の期間では管壇上の発光期間が順次短くなっている。なお、発光点に高さの差がないので揺らぎ発光にはならない。
これにより１個の３色発光の色の相違する発光が行われ、やわらない明滅光を発生することができ、情緒性のあるあるい人の注意を喚起し易い発光を発生することができる。
なお、この場合には、ＬＥＤ素子は、三原色発光のＬＥＤ素子２ａではなく、通常よりも一回り小さい米粒大のＬＥＤ素子を複数個使用して図１の実施例と同様に円筒装着金具６ａからの距離（取付位置あるいは高さ）をそれぞれに変える設けることも可能である。
ところで、このような点滅球９を懐中電灯に付けておき、例えば、高速道路などで緊急停車したときなどには通常の点滅灯より確認し易い警報灯として使用することが可能である。
【産業上の利用可能性】
【００１６】
以上説明してきたが、実施例では、ろうそく球とハロゲン球対応球とにそれぞれ対応する点滅球の例を挙げているが、ワンチップマイクロコントローラＩＣをさらに小さい５ｍｍ×５ｍｍ角以下のワンチップマイクロコントローラＩＣとした場合には通常の懐中電灯の豆球に対応させることができることはもちろんである。この場合にもＬＥＤ素子は、通常よりも一回り小さい大きさのＬＥＤ素子を複数個使用することも可能である。
また、実施例では、発光素子としてＬＥＤ素子を例として３．３Ｖの電源で駆動しているが、これは６Ｖ駆動のワンチップマイクロコントローラＩＣを用いて、発光素子に対応する駆動電圧の信号を得るものであってもよいことはもちろんである。
さらに、駆動電源は、電池に限定されるものではなく、ＤＣ／ＤＣコンバータ、スイッチングレギュレータ、整流回路等によりＡＣ電源をＤＣ電源として利用してもよい。
さらに、実施例では、ソケット接続金具を介してワンチップマイクロコントローラＩＣに電力供給をしているが、ソケット接続金具を設けることなく、ワンチップマイクロコントローラＩＣの電力供給を受ける端子がリード線を介して外部に導出されていてもよい。
ところで、階段状の発光期間において１個の点灯と続く２個以上の点灯の間に短い消灯期間を設けても実質的に発光が連続点灯になっているときにはそれはこの発明の階段状の点灯に含むものである。
【図面の簡単な説明】
【００１７】
【図１】図１は、この発明の点滅球の一実施例の構成図である。
【図２】図２は、その回路構成の説明図である。
【図３】図３は、その出力駆動パルスのタイミング説明図である。
【図４】図４は、揺らぎ光をろうそく光として使用した提灯について断面説明図である。
【図５】図５は、懐中電灯用のハロゲン球対応の警告灯に適用したやわらない明滅光の点灯球の実施例の断面説明図である。
【図６】図６は、図５の実施例の出力駆動パルスのタイミング説明図である。
【符号の説明】
【００１８】
１…揺らぎ発光点滅球、２，３…赤色発光のＬＥＤ素子、
４…黄色発光のＬＥＤ素子、５…ワンチップマイクロコントローラＩＣ、
６…ソケット接続金具、６ａ…円筒装着金具、７…フレキシブル配線基板、
８…透光性の樹脂カバー、９…点滅球、
１０…提灯、１１…電池、１２…スイッチ、
１３…配線ライン、１４…ソケット。
【図１】
2009037771.tif 000003
【図２】
2009037771.tif 000004
【図３】
2009037771.tif 000005
【図４】
2009037771.tif 000006
【図５】
2009037771.tif 000007
【図６】
2009037771.tif 000008